(57)【要約】【課題】製造が容易で、かつコストを軽減することのできる水中用履物の製造方法を提供する。【解決手段】水中スポーツを行う際に着用する水中用履物１を製造する方法であって、発泡体生地を複数の所定形状を有する生地片１０ａに裁断し、その複数の生地片１０ａを立体状の足型袋１０とする足型袋製造工程と、足型袋１０内に平板状の平面支持板Ｐを圧入し、その甲部１１を平面状として未加硫の甲部用ゴムシート２０ａを熱圧着する甲部補強工程と、踵部１２を平面支持板Ｐで平面状して未加硫の踵部用ゴムシート２０ｂを熱圧着する踵部補強工程と、足型袋１０内に、側面形状が略足型状の側面支持板Ｓを圧入し、足型袋１０の左右両側面部１３を平面状として両側面部１３に未加硫の側面部用ゴムシート２０ｃを熱圧着する側面部補強工程と、を備えることを特徴とする。【選択図】図２
2005059465.tif 000002
【特許請求の範囲】
【請求項１】
サーフィン，ダイビングあるいはカヌー等の水中スポーツを行う際に着用する水中用履物（１）を製造する方法であって、クロロプレン等の無数の独立気泡を有する発泡体生地を，複数の所定形状を有する生地片（１０ａ）に裁断し，その複数の生地片を貼り合わせ，あるいは縫合することによって立体状の足型袋（１０）とする足型袋製造工程と、前記足型袋内に平板状の平面支持板（Ｐ）を圧入し，該足型袋の甲部（１１）を平面状とした後，その甲部の外表面に未加硫の甲部用ゴムシート（２０ａ）を熱圧着する甲部補強工程と、前記足型袋の踵部（１２）を平面支持板で平面状した後，その踵部の外表面に未加硫の踵部用ゴムシート（２０ｂ）を熱圧着する踵部補強工程と、前記足型袋から前記平面支持板を抜き取った後，該足型袋内に，側面形状が略足型状の側面支持板（Ｓ）を圧入し，該足型袋の左右両側面部（１３）を平面状とした後，その左右両側面部の外表面にそれぞれ未加硫の側面部用ゴムシート（２０ｃ）を熱圧着する側面部補強工程と、前記足型袋から側面支持板を抜き取った後，該足型袋を立体足金型（Ｆ）に嵌着し，少なくとも，爪先部（１５），踵部（１２）および足裏部（１６）の外表面に未加硫の外貼用ゴムシート（２０ｄ）を貼着した後，加熱して前記全てのゴムシート（２０）を加硫する外貼加硫工程とからなる水中用履物の製造方法。
【請求項２】
サーフィン，ダイビングあるいはカヌー等の水中スポーツを行う際に着用する水中用履物（１）を製造する方法であって、クロロプレン等の無数の独立気泡を有する発泡体生地を，複数の所定形状を有する生地片（１０ａ）に裁断し，その複数の生地片を貼り合わせ，あるいは縫合することによって立体状の足型袋（１０）とする足型袋製造工程と、前記足型袋内に平板状の平面支持板（Ｐ）を圧入し，該足型袋の甲部（１１）を平面状とした後，その甲部の外表面に未加硫の甲部用ゴムシート（２０ａ）を熱圧着する甲部補強工程と、前記足型袋の踵部（１２）を平面支持板で平面状した後，その踵部の外表面に未加硫の踵部用ゴムシート（２０ｂ）を熱圧着する踵部補強工程と、前記足型袋から前記平面支持板を抜き取った後，該足型袋内に，側面形状が略足型状の側面支持板（Ｓ）を圧入し，該足型袋の左右両側面部（１３）を平面状とした後，その左右両側面部の外表面にそれぞれ未加硫の側面部用ゴムシート（２０ｃ）を熱圧着する側面部補強工程と、前記足型袋から側面支持板を抜き取った後，該足型袋の爪先部（１５）の所定箇所を縫合して指股部（１４）を形成する指股部形成工程と、前記足型袋を立体足金型（Ｆ）に嵌着し，少なくとも，爪先部（１５），踵部（１２）および足裏部（１６）の外表面に未加硫の外貼用ゴムシート（２０ｄ）を貼着した後，加熱して前記全てのゴムシート（２０）を加硫する外貼加硫工程とからなる水中用履物の製造方法。
【請求項３】
少なくとも、甲部用ゴムシート（２０ａ）、踵部用ゴムシート（２０ｂ）および側面部用ゴムシート（２０ｃ）の圧着面に、あらかじめ接着剤処理を施してなる請求項１または２に記載の水中用履物の製造方法。
【発明の詳細な説明】
【技術分野】
【０００１】
本発明は、サーフィン、ダイビング、あるいはカヌー等の水中スポーツを行う際に着用する水中用履物の製造方法に関するものである。
【背景技術】
【０００２】
サーフィン、ダイビングあるいはカヌー等のいわゆる水中スポーツを行う際には、通常、保温と安全を目的として、クロロプレン等の無数の独立気泡を有する生地で形成した水中用履物を着用する。
【０００３】
従来、こうした水中用履物は、まず、所定の形状に裁断した複数の生地片を貼り合わせて立体の足型袋を形成し、次に、この足型袋を立体足金型に嵌着した後、その外表面にラテックス等の接着剤処理を施す。そして、その足型袋に、それに対応した形状のゴムシートを貼着した後、熱加硫を施して製造している。
【非特許文献１】意匠登録第１１６２０５３号公報
【発明の開示】
【発明が解決しようとする課題】
【０００４】
しかし、この従来の製造方法では、立体状の足型袋に対応した複雑な形状のゴムシートを製造し、それを当該足型袋に貼着する必要があるので、製造が厄介で、コストが嵩むといった問題がある。
【０００５】
すなわち、ゴムシートを立体状の足型袋に対応して正確に製造することは、当該足型袋が立体形状であるため、当然に複雑となり、また、それを皺を発生させることなく貼付ける作業も正確性を必要とするので難しく、熟練を要する。従って、必然的に製造コストも高くなってしまう。
【０００６】
本発明はこうした点に鑑み創案されたもので、製造が容易で、かつコストを軽減することのできる水中用履物の製造方法を提供することを課題とする。
【課題を解決するための手段】
【０００７】
第１の発明は、サーフィン、ダイビングあるいはカヌー等の水中スポーツを行う際に着用する水中用履物１を製造する方法であって、クロロプレン等の無数の独立気泡を有する発泡体生地を、複数の所定形状を有する生地片１０ａに裁断し、その複数の生地片１０ａを貼り合わせ、あるいは縫合することによって立体状の足型袋１０とする足型袋製造工程と、前記足型袋１０内に平板状の平面支持板Ｐを圧入し、当該足型袋１０の甲部１１を平面状とした後、その甲部１１の外表面に未加硫の甲部用ゴムシート２０ａを熱圧着する甲部補強工程と、前記足型袋１０の踵部１２を平面支持板Ｐで平面状した後、その踵部１２の外表面に未加硫の踵部用ゴムシート２０ｂを熱圧着する踵部補強工程と、前記足型袋１０から前記平面支持板Ｐを抜き取った後、当該足型袋１０内に、側面形状が略足型状の側面支持板Ｓを圧入し、当該足型袋１０の左右両側面部１３を平面状とした後、その左右両側面部１３の外表面にそれぞれ未加硫の側面部用ゴムシート２０ｃを熱圧着する側面部補強工程と、前記足型袋１０から側面支持板Ｓを抜き取った後、当該足型袋１０を立体足金型Ｆに嵌着し、少なくとも、爪先部１５，踵部１２および足裏部１６の外表面に未加硫の外貼用ゴムシート２０ｄを貼着した後、加熱して前記全てのゴムシート２０を加硫する外貼加硫工程とからなるものである。
【０００８】
第２の発明は、サーフィン、ダイビングあるいはカヌー等の水中スポーツを行う際に着用する水中用履物１を製造する方法であって、クロロプレン等の無数の独立気泡を有する発泡体生地を、複数の所定形状を有する生地片１０ａに裁断し、その複数の生地片１０ａを貼り合わせ、あるいは縫合することによって立体状の足型袋１０とする足型袋製造工程と、前記足型袋１０内に平板状の平面支持板Ｐを圧入し、当該足型袋１０の甲部１１を平面状とした後、その甲部１１の外表面に未加硫の甲部用ゴムシート２０ａを熱圧着する甲部補強工程と、前記足型袋１０の踵部１２を平面支持板Ｐで平面状した後、その踵部１２の外表面に未加硫の踵部用ゴムシート２０ｂを熱圧着する踵部補強工程と、前記足型袋１０から前記平面支持板Ｐを抜き取った後、当該足型袋１０内に、側面形状が略足型状の側面支持板Ｓを圧入し、当該足型袋１０の左右両側面部１３を平面状とした後、その左右両側面部１３の外表面にそれぞれ未加硫の側面部用ゴムシート２０ｃを熱圧着する側面部補強工程と、前記足型袋１０から側面支持板Ｓを抜き取った後、当該足型袋１０の爪先部１５の所定箇所を縫合して指股部１４を形成する指股部形成工程と、前記足型袋１０を立体足金型Ｆに嵌着し、少なくとも、爪先部１５，踵部１２および足裏部１６の外表面に未加硫の外貼用ゴムシート２０ｄを貼着した後、加熱して前記全てのゴムシート２０を加硫する外貼加硫工程とからなるものである。
【０００９】
第３の発明は、第１または第２の発明において、少なくとも、甲部用ゴムシート２０ａ、踵部用ゴムシート２０ｂおよび側面部用ゴムシート２０ｃの圧着面に、あらかじめ接着剤処理を施してなるものである。
【発明の効果】
【００１０】
第１の発明は、甲部補強工程と踵部補強工程において、平面支持板Ｐによって甲部１１および踵部１２を平面状とした状態で甲部用ゴムシート２０ａおよび踵部用ゴムシート２０ｂを熱圧着し、また、側面支持板Ｓによって左右側面部１３を平面状とした状態で側面部用ゴムシート２０ｃを熱圧着するので、従来技術のように立体状の足型袋に貼着するのと異なり、これらゴムシート２０の形状を平面のまま複雑なものとすることができるし、その圧着も容易となる。従って、製造コストを削減することができる。
【００１１】
第２の発明は、請求項１に記載の発明と同様に平面支持板Ｐと側面支持板Ｓの使用により甲部用ゴムシート２０ａ、踵部用ゴムシート２０ｂおよび側面部用ゴムシート２０ｃの形状が複雑でも、圧着が容易となり、製造コストの削減を図ることができる。また、指股部形成工程を加えているので、指股部１４を有する水中用履物１を、容易かつ廉価に製造することができる。
【００１２】
第３の発明は、少なくとも、甲部用ゴムシート２０ａ、踵部用ゴムシート２０ｂおよび側面部用ゴムシート２０ｃの圧着面にあらかじめ接着剤処理を施しているので、足型袋１０に、より強固に取付けることができる。
【発明を実施するための最良の形態】
【００１３】
本発明に係る水中用履物の製造方法の実施形態を、図１乃至図７に示す。これは、サーフィン、ダイビングあるいはカヌー等の水中スポーツを行う際に足に着用する水中用履物１を製造する方法であり、足型袋製造工程、甲部補強工程、踵部補強工程、側面部補強工程、指股部形成工程および外貼加硫工程からなる。
【００１４】
最初の足型袋製造工程では、クロロプレン等の無数の独立気泡を有する発泡体生地を、複数の所定形状を有する生地片１０ａに裁断し、その複数の生地片１０ａを貼り合わせたり縫合することによって立体状の足型袋１０を製造する。なお、この発泡体生地は、その表面にナイロンジャージ等の伸縮性を持つ生地をラミネートしたものを使用しても良い。
【００１５】
次の甲部補強工程では、足型袋１０内にアルミ等の金属平板状の平面支持板Ｐを圧入し、その平面支持板Ｐで足型袋１０を伸ばしてその甲部１１を平面状とした後、その甲部１１の外表面にその面積より小さ目の未加硫の甲部用ゴムシート２０ａを熱プレスＨで熱圧着する。
【００１６】
続く踵部補強工程では、足型袋１０の踵部１２を平面支持板Ｐで同様に平面状とした後、その踵部１２の外表面に未加硫の踵部用ゴムシート２０ｂを熱圧着する。なお、本工程における平面支持板Ｐは、先の甲部補強工程で使用したものを移動させてそのまま使用することができるし、また、別個の平面支持板Ｐを使用することもできる。
【００１７】
側面部補強工程では、足型袋１０から平面支持板Ｐを抜き取った後、当該足型袋１０内に、側面形状が略足型状の側面支持板Ｓを圧入し、その足型袋１０の左右両側面部１３を大きく伸ばして平面状とした状態で、その左右両側面部１３の外表面にそれぞれその面積より小さ目の未加硫の側面部用ゴムシート２０ｃを熱圧着する。
【００１８】
指股部形成工程では、足型袋１０から側面支持板Ｓを抜き取った後、その足型袋１０の爪先部１５の所定箇所を２〜３ｃｍにわたって足裏部１６と共に縫い合わせ、指股部１４を形成する。なお、指股部形成工程を省略して、指股部１４を持たない先丸タイプの水中履物１とすることもできる。
【００１９】
そして、外貼加硫工程では、足型袋１０を立体足金型Ｆに嵌着し、少なくとも、爪先部１５，踵部１２および足裏部１６の外表面に未加硫の外貼用ゴムシート２０ｄを貼着した後、加熱して前記全てのゴムシート２０を加硫する。
【００２０】
本実施形態に係る水中用履物の製造方法は、甲部補強工程と踵部補強工程において、平面支持板Ｐによって甲部１１および踵部１２を平面状とした状態で甲部ゴムシートおよび踵部用ゴムシート２０ｂを熱圧着し、また、側面支持板Ｓによって左右側面部１３を平面状とした状態で側面部用ゴムシート２０ｃを熱圧着するので、従来技術のように立体状の足型袋に貼着するのと異なり、これらゴムシート２０の形状を平面まま複雑な形状とすることができるし、その圧着も容易となる。従って、製造コストを削減することができる。
【００２１】
なお、本実施形態においては、甲部補強工程、踵部補強工程、側面部補強工程の順で行っているが、本発明はこれに限定されず、適宜その順序を変更することもできる。従って、例えば、甲部補強工程および側面部補強工程の後に、踵部補強工程を行うこともできる。
【００２２】
又、この圧着工程に用いる平面支持板Ｐ，側面支持板Ｓは熱圧着機の下盤を加工して平面支持板Ｐ，側面支持板Ｓの形状として圧着加工をしても良いが、この場合は圧着機の用途が限定されてしまうため、本実施形態のように独立した板を使用する方が効率が良い。
【００２３】
また、甲部用ゴムシート２０ａ、踵部用ゴムシート２０ｂおよび側面部用ゴムシート２０ｃの圧着面に、あらかじめ接着剤処理を施しておくことにより、熱圧着の他に接着剤による作用によってこれらゴムシート２０を足型袋１０に、さらに強固に取付けることができる。
【産業上の利用可能性】
【００２４】
本発明に係る製造方法は、水中用履物の他に、弾性材製で形成したその他の履物や手袋等にも適用することができる。
【図面の簡単な説明】
【００２５】
【図１】本発明の実施形態における足型袋製造工程を示す側面図である。
【図２】本発明の実施形態における甲部補強工程を示す側面図である。
【図３】本発明の実施形態における踵部補強工程を示す側面図である。
【図４】本発明の実施形態における側面部補強工程を示す側面図である。
【図５】本発明の実施形態における指股部形成工程を示す側面図である。
【図６】本発明の実施形態における外貼加硫工程を示す側面図である。
【図７】本発明の実施形態によって製造された水中用履物を示す側面図である。
【符号の説明】
【００２６】
１        水中用履物
１０      足型袋
１０ａ    生地片
１１      甲部
１２      踵部
１３      側面部
１４      指股部
１５      爪先部
１６      足裏部
２０      ゴムシート
２０ａ    甲部用ゴムシート
２０ｂ    踵部用ゴムシート
２０ｃ    側面部用ゴムシート
２０ｄ    外貼用ゴムシート
Ｆ        立体足金型
Ｈ        熱プレス
Ｐ        平面支持板
Ｓ        側面支持板
【図１】
2005059465.tif 000003
【図２】
2005059465.tif 000004
【図３】
2005059465.tif 000005
【図４】
2005059465.tif 000006
【図５】
2005059465.tif 000007
【図６】
2005059465.tif 000008
【図７】
2005059465.tif 000009